(57)【特許請求の範囲】
【請求項１】
電源コードを有する、薄型テレビ受像器及び機器の収納構造であって、
機器が収容されるキャビネットと、
壁面から所定間隔を開けた状態で前記キャビネットの後部上面から立ち上がる、前面に薄型テレビ受像器が取り付けられるバックパネルと
を備え、
前記バックパネルには、その下端部に開口が形成されていると共に、その開口を閉塞する蓋部材が着脱自在に設けられており、
前記壁面には、前記バックパネルの開口に対応する部分にコンセントが配設されており、
前記バックパネルには、取り付けた薄型テレビ受像器の下端縁よりも上側に配線穴が形成されていると共に、
前記キャビネットの上面には、前記バックパネルの後方側で、前記バックパネルの開口に近接する位置に配線穴が形成されており、
前記バックパネルに取り付けた薄型テレビ受像器の電源コードが前記バックパネルに形成された配線穴から壁面側に引き出されると共に、前記キャビネットに収容された機器の電源コードが前記キャビネットの上面に形成された配線穴から前記バックパネルと壁面との間に引き出されて、前記バックパネルに形成された配線穴と、前記キャビネットの上面に形成された配線穴との間に位置している前記バックパネルの開口部分でコンセントに接続されていることを特徴とする薄型テレビ受像器及び機器の収納構造。
【請求項２】
前記バックパネルには、前記蓋部材を着脱するための手掛穴が形成されており、その手掛穴が前記配線穴として使用される請求項１に記載の薄型テレビ受像器及び機器の収納構造。
【発明の詳細な説明】
【技術分野】
【０００１】
この発明は、テレビ受像器やＤＶＤレコーダー、ブルーレイレコーダー等のオーディオビジュアル機器を収納する収納構造に関する。
【背景技術】
【０００２】
この種の収納構造としては、例えば、図６に示すようなものがある。この収納構造５０は、同図に示すように、ＤＶＤレコーダ等の機器ｍを収容する下部収納部５１と、この下部収納部５１の後部上面から立ち上がる、テレビ受像器ｔを収納する上部収納部５２とを備えており、下部収納部５１に対応する部分にコンセントＣが配設されている。
【０００３】
前記下部収納部５１には、その背面に下部収納部５１に収納される機器ｍの電源コードやアンテナ線を通すための配線穴ｈ１が形成されていると共に、下部収納部５１に収納される機器ｍと上部収納部５２に収納されるテレビ受像器ｔとを接続する接続配線やテレビ受像器ｔの電源コード等を通すための配線穴ｈ２が上面の後部に形成されている。
【０００４】
従って、上部収納部５２に収納されるテレビ受像器ｔの電源コードについては、下部収納部５１の上面の後部に形成されている配線穴ｈ２から下部収納部５１と壁面との間に引き出すと共に、下部収納部５１に収納される機器ｍの電源コードやアンテナ線については、下部収納部５１の背面に形成されている配線穴ｈ１から壁面側に引き出して、コンセントＣに接続することになる。
【先行技術文献】
【特許文献】
【０００５】
【特許文献１】特開平８−２７５８３４号公報
【発明の概要】
【発明が解決しようとする課題】
【０００６】
従って、上述したような収納構造５０の場合、下部収納部５１からＤＶＤレコーダ等の機器ｍを一旦引き出した状態で、電源コードやアンテナ線をコンセントＣに接続しなければならず、配線作業が面倒であるといった問題がある。
【０００７】
そこで、この発明の課題は、収納するオーディオビジュアル機器の配線作業性に優れた収納構造を提供することにある。
【課題を解決するための手段】
【０００８】
上記の課題を解決するため、請求項１に係る発明は、電源コードを有する、薄型テレビ受像器及び機器の収納構造であって、機器が収容されるキャビネットと、壁面から所定間隔を開けた状態で前記キャビネットの後部上面から立ち上がる、前面に薄型テレビ受像器が取り付けられるバックパネルとを備え、前記バックパネルには、その下端部に開口が形成されていると共に、その開口を閉塞する蓋部材が着脱自在に設けられており、前記壁面には、前記バックパネルの開口に対応する部分にコンセントが配設されており、前記バックパネルには、取り付けた薄型テレビ受像器の下端縁よりも上側に配線穴が形成されていると共に、前記キャビネットの上面には、前記バックパネルの後方側で、前記バックパネルの開口に近接する位置に配線穴が形成されており、前記バックパネルに取り付けた薄型テレビ受像器の電源コードが前記バックパネルに形成された配線穴から壁面側に引き出されると共に、前記キャビネットに収容された機器の電源コードが前記キャビネットの上面に形成された配線穴から前記バックパネルと壁面との間に引き出されて、前記バックパネルに形成された配線穴と、前記キャビネットの上面に形成された配線穴との間に位置している前記バックパネルの開口部分でコンセントに接続されていることを特徴とする薄型テレビ受像器及び機器の収納構造を提供するものである。
【０００９】
また、請求項２に係る発明は、請求項１に係る発明の収納構造において、前記バックパネルには、前記蓋部材を着脱するための手掛穴が形成されており、その手掛穴が前記配線穴として使用されることを特徴としている。
【発明の効果】
【００１０】
以上のように、請求項１に係る発明の収納構造では、バックパネルには、その下端部に開口が形成されていると共に、その開口を閉塞する蓋部材が着脱自在に設けられており、壁面には、バックパネルの開口に対応する部分にコンセントが配設されており、バックパネルには、取り付けた薄型テレビ受像器の下端縁よりも上側に配線穴が形成されていると共に、キャビネットの上面には、バックパネルの後方側で、バックパネルの開口に近接する位置に配線穴が形成されており、バックパネルに取り付けた薄型テレビ受像器の電源コードがバックパネルに形成された配線穴から壁面側に引き出されると共に、キャビネットに収容された機器の電源コードが前記キャビネットの上面に形成された配線穴からバックパネルと壁面との間に引き出されて、バックパネルに形成された配線穴と、キャビネットの上面に形成された配線穴との間に位置しているバックパネルの開口部分でコンセントに接続されているので、従来の収納ユニットとは異なり、キャビネットに収納された機器をキャビネットから引き出すことなく、バックパネルの蓋部材を取り外すだけで、開口部分にコンセントが露出し、バックパネルに形成された配線穴から壁面側に引き出された薄型テレビ受像器の電源コードやキャビネットの上面に形成された配線穴からバックパネルと壁面との間に引き出された機器の電源コードを、簡単にコンセントに接続することができる。また、電源コードをコンセントに接続した後は、蓋部材によって開口を閉塞することによって、正面から配線を全く視認することができない状態となる。
さらに、キャビネットの上面には、バックパネルの後方側で、バックパネルの開口に近接する位置に配線穴が形成されているので、キャビネットの配線穴から機器の電源コードを引き出すと、その電源コードがコンセントの付近に位置しており、コンセントに容易に接続することができる。
【００１１】
特に、請求項２に係る発明の収納構造は、バックパネルに、蓋部材を着脱するための手掛穴を形成し、その手掛穴を配線穴として使用したので、別途配線穴を形成する必要が無く、しかも、蓋部材を取り外した状態では、開口と手掛穴が一体となって一つの開口となるので、配線作業性がさらに向上する。
【図面の簡単な説明】
【００１２】
【図１】この発明に係る収納ユニットの一実施形態を示す平面図である。
【図２】同上の収納ユニットを示す正面図である。
【図３】同上の収納ユニットを示す縦断面図である。
【図４】（ａ）は同上の収納ユニットを構成しているバックパネルの開口部分を示す部分拡大正面図、（ｂ）は同上の開口を閉塞する蓋部材を示す拡大正面図である。
【図５】同上のバックパネルの開口部分を示す拡大断面図である。
【図６】従来の収納ユニットを示す縦断面図である。
【発明を実施するための形態】
【００１３】
以下、実施の形態について図面を参照して説明する。図１〜図５は、オーディオビジュアル機器を収納する、壁取り付けタイプの収納ユニットを示している。この収納ユニット１は、同図に示すように、ＤＶＤレコーダーやブルーレイレコーダー等の機器Ｍを収納する、壁面Ｗに固定設置されたキャビネット１０と、壁面Ｗから所定間隔を開けた状態でキャビネット１０の後部上面から立ち上がる、前面に薄型テレビ受像器Ｔを取り付けるバックパネル２０とを備えており、バックパネル２０はキャビネット１０の上面に載置した状態で、枠状のパネル受けユニット３０を介して、壁面Ｗに固定されている。なお、薄型テレビ受像器Ｔは、取付金具ＭＢを介して、バックパネル２０の前面に取り付けられるようになっている。
【００１４】
前記キャビネット１０は、天板１１、底板１２、両側板１３、１３、左右一対の仕切板１４、１４及び背板１５によってボックス状に構成されており、幅方向の中央部に配置された機器収納部１０Ａと、この機器収納部１０Ａの両側に配設された引出収納部１０Ｂ、１０Ｂとを備えている。
【００１５】
機器収納部１０Ａは、前面が開放された状態で、天板１１、底板１２、背板１５及び左右一対の仕切板１４、１４によって収納空間が区画されており、棚板１６によって上下２段に機器Ｍ等を収納することができるようになっている。
【００１６】
前記キャビネット１０を構成している天板１１におけるバックパネル２０と壁面Ｗとの間には、機器収容部１０Ａに対応する領域に配線穴１１ａが形成されており、機器収容部１０Ａに収納した機器に接続するための種々の配線及びアンテナ線及び電源コード等をバックパネル２０と壁面Ｗとの間に引き出すことができるようになっている。
【００１７】
前記バックパネル２０には、幅方向の中央部における下端部に横長の略長方形状の開口２１が形成されており、この開口２１の上部を手掛穴ＨＨとして使用することができるように、その手掛穴ＨＨに対応する部分の下側を閉塞可能な蓋部材２３が開口２１に着脱自在に取り付けられている。なお、開口２１に蓋部材２３を取り付けることによって形成される手掛穴ＨＨは、バックパネル２０に取り付ける薄型テレビ受像器Ｔの下端より上側に位置しており、バックパネル２０に薄型テレビ受像器Ｔを取り付けた状態では、正面から視認することができないようになっている。
【００１８】
前記バックパネル２０の裏面側には、図４（ａ）に示すように、開口２１を形成している両側縁における蓋部材２３によって閉塞される領域の上下２箇所に、開口２１内に張り出す磁性体によって形成された金具２２が取り付けられていると共に、蓋部材２３の裏面には、同図（ｂ）に示すように、各金具２２に対応する位置にマグネット２４が埋設されており、マグネット２４が磁気吸引力によって金具２２に吸着することで、開口２１を閉塞した状態に蓋部材２３を保持することができ、手掛穴ＨＨに指を掛けて手前に引っ張ることで蓋部材２３を容易に取り外すことができるようになっている。
【００１９】
なお、壁面Ｗにおけるバックパネル２０の開口２１に対応する部分には、図４（ａ）に示すように、予め、マルチメディアコンセントＭＣが取り付けられており、開口２１から蓋部材２３を取り外すと、壁面Ｗに取り付けられたマルチメディアコンセントＭＣが露出するようになっている。
【００２０】
以上のように構成された収納ユニット１におけるキャビネット１０の機器収納部１０Ａに収納した機器Ｍやバックパネル２０の前面に取り付けた薄型テレビ受像器Ｔ等の配線を行う場合、まず、バックパネル２０から蓋部材２３を取り外し、バックパネル２０に取り付けた薄型テレビ受像器Ｔの電源コードやＬＡＮケーブル等については、開口２１部分にマルチメディアコンセントＭＣが露出しているので、開口２１を通してマルチメディアコンセントＭＣに接続する。また、キャビネット１０の機器収納部１０Ａに収納した機器Ｍの電源コード、ＬＡＮケーブルやアンテナ線等については、キャビネット１０の天板１１に形成された配線穴１１ａからバックパネル２０と壁面Ｗとの間に引き出すと、それらの配線がマルチメディアコンセントＭＣの付近に位置しているので、マルチメディアコンセントＭＣに容易に接続することができる。
【００２１】
このようにして、マルチメディアコンセントＭＣに対する機器配線の接続作業が完了すると、蓋部材２３によって開口２１を閉塞するが、このとき、薄型テレビ受像器Ｔに接続される配線や薄型テレビ受像器Ｔの電源線等については、図５に示すように、開口２１に蓋部材２３を取り付けることによって蓋部材２３の上側に形成される手掛穴ＨＨ部分を通すことで、手掛穴ＨＨを配線穴として使用することになるので、バックパネル２０に別途配線穴を形成する必要がない。
【００２２】
以上のように、この収納ユニット１では、従来の収納ユニットとは異なり、キャビネット１０に収納した機器Ｍをキャビネット１０から引き出すことなく、常に目線の高さでマルチメディアコンセントＭＣへの接続作業を行うことができるので、機器配線の接続作業性に優れていると共に、配線した後は、正面から目障りな配線を全く視認することができない状態となるので、体裁も良い。
【００２３】
なお、上述した実施形態では、手掛穴ＨＨを配線穴として使用しているが、これに限定されるものではなく、手掛穴ＨＨの上側に別途配線穴を形成してもよい。
【００２４】
また、上述した実施形態では、バックパネル２０に薄型テレビ受像器Ｔを取り付けるようになっているが、これに限定されるものではなく、例えば、薄型テレビ受像器を取り付けるバックパネルの両側縁及び上縁から前方側に張り出す天板や側板が連設されていてもよく、バックパネルに取り付けた薄型テレビ受像器の上方側に物品等を載置する棚部が形成されていてもよい。
【００２５】
また、上述した実施形態では、壁面ＷにマルチメデイアコンセントＭＣを取り付けているが、これに限定されるものではなく、通常のコンセントやアンテナ線接続コンセントを個別に取り付けてもよい。
【００２６】
また、上述した実施形態では、壁取り付けタイプの収納ユニットについて説明したが、これに限定されるものではなく、床置きタイプの収納ユニットについても本発明を適用することができる。
【産業上の利用可能性】
【００２７】
本発明の収納構造は、オーディオビジュアル機器を収納する場合に利用することができる。
【符号の説明】
【００２８】
１  収納ユニット
１０  キャビネット
１０Ａ  機器収納部
１０Ｂ  引出収納部
１１  天板
１１ａ  配線穴
１２  底板
１３  側板
１４  仕切板
１５  背板
１６  棚板
２０  バックパネル
２１  開口
２２  金具
２３  蓋部材
２４  マグネット
３０  パネル受けユニット
ＨＨ  手掛穴
Ｍ  機器
Ｔ  薄型テレビ受像器
ＭＢ  取付金具
ＭＣ  マルチメディアコンセント
Ｗ  壁面
【図１】
0006436698.tif 000002
【図２】
0006436698.tif 000003
【図３】
0006436698.tif 000004
【図４】
0006436698.tif 000005
【図５】
0006436698.tif 000006
【図６】
0006436698.tif 000007